(57)【要約】【課題】本発明は、クラムシェルバケットに関し、従来のクラムシェルバケットにおいて比較的小型のバケットに適用できる簡易な開閉装置を構成して、コストの低減を図ることと、バケットの開閉を機能的に向上させることが課題であって、それを本発明により解決することである。【解決手段】クレーンに吊持されて昇降され支点軸を中心に係合されて鋏状に開閉可能な左右一対の掘削バケット３，４を有してなるクラムシェルバケットにおいて、前記左右一対の掘削バケットにおける前記支点軸２より上部にあって対向している一対の開閉用アーム５，６の間に、該開閉用アーム５，６の開く動作のみを作用させる拡開装置７を設けたクラムシェルバケット１とするものである。【選択図】図１
2010143744.tif 000002
【特許請求の範囲】
【請求項１】
クレーンに吊持されて昇降され支点軸を中心に係合されて鋏状に開閉可能な左右一対の掘削バケットを有してなるクラムシェルバケットにおいて、
前記左右一対の掘削バケットにおける前記支点軸より上部にあって対向して配設されている一対の開閉用アームの間に、該一対の開閉用アームを拡開させる動作のみを作用させる拡開装置を設けたこと、
を特徴とするクラムシェルバケット。
【請求項２】
拡開装置は、
掘削バケットの上部に固定して設けられる電源装置と、
一対の開閉用アーム若しくはこの一対の開閉用アームを支持する框体の一部に装備され前記電源装置によって駆動されるシリンダーと、
前記電源装置に指示信号を伝達する無線用受信機とからなり、
前記シリンダーは、その一端部が前記一対の開閉用アームにおける一方の開閉用アーム側に揺動可能に連結され、その他端部が支点軸に回動自在に嵌装されたブラケットの端部に回動可能に連結されており、
前記一対の開閉用アームにおける他方の開閉用アーム若しくはその筐体には、前記ブラケットによってアーム開方向のみに押圧されるアーム押圧板が一体に設けられていること、
を特徴とする請求項１に記載のクラムシェルバケット。
【発明の詳細な説明】
【技術分野】
【０００１】
本発明は、例えば、クレーン等のフックに吊持して、土砂などを掬い上げる比較的小型のクラムシェルバケットに関するものである。
【背景技術】
【０００２】
クラムシェルバケットは、従来例として、１．クレーン等の吊下ワイヤで吊り上げることでバケットを上下移動させ、バケットの開閉を前記吊下ワイヤとは別個の開閉ワイヤで行うものが知られている。また、２．バケットの開閉を全て油圧シリンダーで行うものも知られている（特許文献１参照）。更に、３．閉じたバケットを一度地面に預けて抜重し、爪等が外れて再度吊り上げるとバケットが開くものが知られている。その他、４．閉じたバケットにレバーを備えておき、それにロープ等を繋いでおいて、そのロープを引っ張ることでバケットを開くものが知られている。
【特許文献１】特開平０８−２９１５３４号公報
【発明の開示】
【発明が解決しようとする課題】
【０００３】
しかし、上記従来例１〜４のクラムシェルバケットを開ける方法では、種々不都合があり、例えば、従来例１では、吊下ワイヤと開閉ワイヤとを別個に設けるのは操作性が複雑となって低下し、巻取ドラムも二個必要となって大形のクレーンでなければ、構成することができず、小形のクレーンには不適用である。従来例２では、油圧設備を準備する必要があり、大掛かりな装置となりコストが嵩む。従来例３では、構造的には簡単であるが、一度、地面に降ろす必要があるので、吊り下げ途中でバケットを開きたい時でも、開くことができない。従来例４では、ロープが絡んだり巻き付いたりしてするおそれがあり、また、引く力も強く引くので長い間に疲れてくる。このような不都合な課題を解決すべく、本発明に係るクラムシェルバケットは提案されたものである。
【課題を解決するための手段】
【０００４】
本発明に係るクラムシェルバケットの上記課題を解決して目的を達成するための要旨は、クレーンに吊持されて昇降され支点軸を中心に係合されて鋏状に開閉可能な左右一対の掘削バケットを有してなるクラムシェルバケットにおいて、前記左右一対の掘削バケットにおける前記支点軸より上部にあって対向して配設されている一対の開閉用アームの間に、該一対の開閉用アームを拡開させる動作のみを作用させる拡開装置を設けたことである。
【０００５】
前記拡開装置は、掘削バケットの上部に固定して設けられる電源装置と、一対の開閉用アーム若しくはこの一対の開閉用アームを支持する框体の一部に装備され前記電源装置によって駆動されるシリンダーと、前記電源装置に指示信号を伝達する無線用受信機とからなり、前記シリンダーはその一端部が前記一対の開閉用アームにおける一方の開閉用アーム側に揺動可能に連結され、その他端部が支点軸に回動自在に嵌装されたブラケットの端部に回動可能に連結されており、前記一対の開閉用アームにおける他方の開閉用アーム若しくはその筐体には、前記ブラケットによってアーム開方向のみに押圧されるアーム押圧板が一体に設けられていることを含むものである。
【発明の効果】
【０００６】
本発明のクラムシェルバケットによれば、鋏状に開閉させるクラムシェルバケットに掘削バケットの拡開を任意に作動させることができる開閉装置を設けたことで、吊持している途中においても、上下方向の任意の位置で拡開させることができる。よって、従来例に係るクラムシェルバケットのように、一端地面に降ろして拡開させるという動作は、本発明のクラムシェルバケットでは必要ない。
この拡開装置が、シリンダーと駆動用の電源装置とを備えた簡易な構成なので、中小型のクラムシェルバケットに好適であり、コスト低減になると共に操作性が良い。
更に、クレーンからのワイヤーも、吊持用ワイヤーと開閉用ワイヤーの少なくとも２本のワイヤーが従来例では必要であったが、本発明のクラムシェルバケットでは、ワイヤーが１本で済み、天井クレーン等の巻取ドラムが一つの場合でも、容易に構成することができる。
掘削バケットの開閉を油圧装置で行う従来例のクラムシェルバケットにおいては、油圧シリンダーと油圧供給装置と油圧パイプと油圧コントローラーとが複雑に構成され、油圧パイプがバケットの開閉に邪魔になることがあるが、それに比べて本発明のクラムシェルバケットでは、掘削バケットを拡開させるだけの構成なので、小型のシリンダーで良く全体がコンパクトに収められる。
【発明を実施するための最良の形態】
【０００７】
本発明に係るクラムシェルバケット１は、図１に示すように、例えば天井クレーンやカーゴクレーンなどの比較的中小型のクレーン（図示せず）に吊持されて昇降されるものである。このクラムシェルバケット１は、支点軸２を中心に係合されて鋏状に開閉可能な左右一対の掘削バケット３，４を有してなるクラムシェルバケットにおいて、前記左右一対の掘削バケット３，４における前記支点軸２より上部にあって対向している一対の開閉用アーム５，６の間に、該開閉用アーム５，６の開く動作のみを作用させる拡開装置７を設けてなるものである。
【０００８】
前記一対の開閉用アーム５，６には、クレーン等のフックに掛けられたワイヤー１５ａ，１５ｂが繋着されている。このワイヤー１５ａ，１５ｂで吊り上げられると、図１、図２に示すように、前記支点軸２を中心に閉じる方向に回転し、掘削バケット３，４が閉じて、土砂等を掬い上げるものである。開閉用アーム５とバケット用アーム８ｂ，開閉用アーム６とバケット用アーム８ａは、それぞれ鋏状に一体に回転するものである。
【０００９】
前記拡開装置７は、支点軸２の上に固定されている電源装置９（９ａ〜９ｃ）と、前記一対の開閉用アーム５，６若しくはこれを支持する框体の一部に装備され前記電源装置９によって駆動されるシリンダー１１と、前記電源装置９に指示信号を伝達する無線用受信機１０とからなる。
【００１０】
前記シリンダー１１は、その一端部が前記一対の開閉用アーム５，６における一方の開閉用アーム５若しくはこれを支持する筐体５ａに揺動可能に連結されている。一方、その他端部である伸縮ロッド１１ａの先端部が、支点軸２に回動自在に嵌装された平板状のブラケット１２の端部１２ａに回動可能に連結されている。このシリンダー１１は、電源装置９のバッテリーから電気の供給を受けてロッド１１ａを伸縮させるものである。
【００１１】
前記一対の開閉用アーム５，６における他方の開閉用アーム６の筐体には、前記ブラケット１２によってアーム開方向のみに押圧されるアーム押圧板１４が一体に設けられている。この実施例では、前記ブラケット１２の板厚部分の側端面によって押圧されるようになっている。
【００１２】
このように、クラムシェルバケット１は、それ自身に拡開装置７を装備しており、掘削バケット３，４を、クレーン等で吊持されている場合に上下方向の任意の位置で拡開させることができるものである。
【００１３】
図３に示すように、土砂等を掬い上げる前に、無線でコントローラー（図示せず、作業者の手元にある）により、拡開指示を発振すると、前記無線用受信機１０に受信されてそれにより、電源装置９からシリンダー１１に電源が供給される。
【００１４】
前記シリンダー１１からそのロッド１１ａが伸長し、ブラケット１２を支点軸２を中心にして時計方向に回転させる。このブラケット１２の側端面がアーム押圧板１４の当接して、更に、開閉用アーム５とともに一体にして支点軸２を中心に時計方向に回転させる。また、同時に、開閉用アーム６も支点軸２を中心に反時計方向に回転する。
【００１５】
前記シリンダー１１のロッド１１ａの伸長により、開閉用アーム５，６がそれぞれ回転し、それによってバケット用アーム８ａ，８ｂも支点軸２を中心に、反時計方向と時計方向にそれぞれ回転して、掘削バケット３，４が拡開して、図３に示すように成るものである。
【００１６】
その後、前記シリンダー１１のロッド１１ａをコントローラーの指令により、無線受信機１０及び電源装置９を介して縮退させる。すると、図４に示すように、ブラケット１２の押圧している側端面が、支点軸２を中心に反時計方向に回転し、前記アーム押圧板１４及び開閉用アーム５から離隔する。
【００１７】
その後、クレーンのフックでワイヤー１５ａ，１５ｂを吊り上げると、開閉用アーム５，６は、前記シリンダー１１のロッド１１ａが縮退しているので、閉じる方向へ回転することができる。よって、このクラムシェルバケット１を持ち上げると、開閉用アーム５，６が閉じられるとともに、自然に掘削バケット３，４が閉じられるものである。
【図面の簡単な説明】
【００１８】
【図１】本発明に係るクラムシェルバケット１で、閉じた状態の正面図である。
【図２】同本発明のクラムシェルバケット１の閉じた状態の側面図である。
【図３】同本発明のクラムシェルバケット１で、シリンダー１１を駆動させロッド１１ａの伸長によって開閉用アーム５，６を拡開させた状態の正面図である。
【図４】同図３に示す状態から、シリンダー１１のロッド１１ａのみを縮退させた状態の正面図である。
【符号の説明】
【００１９】
１          クラムシェルバケット、
２          支点軸、
３，４      掘削ブラケット、
５，６      開閉用アーム、
７          拡開装置、
８ａ，８ｂ  ブラケット用アーム、
９          電源装置、                ９ａ，９ｂ，９ｃ        各電源装置、
１０        無線受信機、
１１        シリンダー、              １１ａ                  ロッド、
１２        ブラケット、
１４        アーム押圧板、
１５ａ，１５ｂ        ワイヤー。
【図１】
2010143744.tif 000003
【図２】
2010143744.tif 000004
【図３】
2010143744.tif 000005
【図４】
2010143744.tif 000006